(57)【特許請求の範囲】
【請求項１】
患者の識別情報と、該患者の病院内の行先施設と、該患者の歩行移動の特徴を表す患者特性とを含んで記憶した患者情報記憶部と、
病院内の各階の複数の施設の近傍に配置されたアクセスポイントの設置位置を記憶するＡＰ位置記憶部と、
前記患者特性毎に、前記患者が前記病院の施設間を移動すると考えられる予想移動ルートを記憶する予想移動ルート記憶部と、
前記患者が所持する携帯端末が参入した通信エリアのアクセスポイントから、該アクセスポイントの識別情報と該患者の識別情報とを取得し、該患者の移動履歴ルートとして蓄積する患者移動ルート取得部と、
前記患者の識別情報により前記患者情報記憶部から該患者の患者特性と行先施設とを求め、該患者特性と該行先施設との情報に基づいて前記予想移動ルート記憶部から該患者の予想移動ルートを抽出する予想移動ルート抽出部と、
前記抽出された予想移動ルートにより、該患者の所在位置として、該移動履歴ルートの直近に取得したアクセスポイントの位置が正しいか否かを判定する患者所在位置特定部と
を有することを特徴とする患者位置把握装置。
【請求項２】
前記患者所在位置特定部は、前記患者の移動履歴ルートが前記抽出された予想移動ルートに含まれる場合に、該患者の所在位置は該移動履歴ルートの直近に取得したアクセスポイントの位置と特定し、前記ＡＰ位置記憶部を参照して該位置を求める
ことを特徴とする請求項１に記載の患者位置把握装置。
【請求項３】
前記ＡＰ位置記憶部は、前記アクセスポイントの設置位置に加えて、隣接する該アクセスポイント間を移動する時間を記憶し、
前記患者移動ルート取得部は、前記アクセスポイントから該アクセスポイントの識別情報と前記患者の識別情報に加えて、該患者が該アクセスポイントに参入した参入時刻を取得して前記移動履歴ルートとして蓄積し、
前記患者所在位置特定部は、前記移動履歴ルートが前記予想移動ルートに含まれず、前記移動履歴ルートの直近に取得したアクセスポイントが該予想移動ルートに含まれる場合に、該移動履歴ルートに基づいて該直近に取得したアクセスポイントまでの患者移動時間を求めると共に、該予想移動ルートにおける該直近に取得したアクセスポイントまでに要する予想移動時間を求め、該患者移動時間と該予想移動時間との差が所定時間の範囲内であれば、前記患者の所在位置は該直近に取得したアクセスポイントの位置と特定して前記ＡＰ位置記憶部を参照して該位置を求める
ことを特徴とする請求項１に記載の患者位置把握装置。
【請求項４】
前記患者位置把握装置は、前記アクセスポイントの電源をＯＮ／ＯＦＦするＡＰ電源制御部を備え、
前記患者所在位置特定部は、前記患者移動時間と前記予想移動時間との差が所定時間の範囲外である場合に、前記直近に取得したアクセスポイントの電源をＯＦＦとし、前記携帯端末が該直近に取得したアクセスポイントの上位階のアクセスポイントに参入した場合に、前記患者の所在位置は該上位階のアクセスポイントの位置と特定し、該携帯端末が該上位階のアクセスポイントに参入しない場合は該直近に取得したアクセスポイントの位置と特定して前記ＡＰ位置記憶部を参照して該位置を求める
ことを特徴とする請求項１に記載の患者位置把握装置。
【請求項５】
前記患者特性の前記患者の歩行移動の特徴は、歩行障害、視覚障害、高齢者、妊婦であることを含む
ことを特徴とする請求項１乃至４のいずれか１項に記載の患者位置把握装置。
【請求項６】
患者が所持する携帯端末が病院内の各階の複数の施設の近傍に配置されたアクセスポイントの通信エリアに参入したとき、該アクセスポイントから該アクセスポイントの識別情報と該患者の識別情報とを取得し、該患者の移動履歴ルートとして蓄積する患者移動ルート取得手順と、
前記患者の識別情報により、該患者の病院内の行先施設と該患者の歩行移動の特徴を表す患者特性とを含んで記憶した患者情報記憶部から該行先施設と該患者特性とを求め、該行先施設と該患者特性とに基づいて、該患者特性毎に該病院の施設間を移動すると考えられる予想移動ルートを記憶した予想移動ルート記憶部から該患者の予想移動ルートを抽出する予想移動ルート抽出手順と、
前記抽出された予想移動ルートにより、該患者の所在位置として、該移動履歴ルートの直近に取得したアクセスポイントの位置が正しいか否かを判定する患者所在位置特定手順と
を有することを特徴とする患者位置把握方法。
【請求項７】
コンピュータが、
患者が所持する携帯端末が病院内の各階の複数の施設の近傍に配置されたアクセスポイントの通信エリアに参入したとき、該アクセスポイントから該アクセスポイントの識別情報と該患者の識別情報とを取得し、該患者の移動履歴ルートとして蓄積する患者移動ルート取得手順と、
前記患者の識別情報により、該患者の病院内の行先施設と該患者の歩行移動の特徴を表す患者特性とを含んで記憶した患者情報記憶部から該行先施設と該患者特性とを求め、該行先施設と該患者特性とに基づいて、該患者特性毎に該病院の施設間を移動すると考えられる予想移動ルートを記憶した予想移動ルート記憶部から該患者の予想移動ルートを抽出する予想移動ルート抽出手順と、
前記抽出された予想移動ルートにより、該患者の所在位置として、該移動履歴ルートの直近に取得したアクセスポイントの位置が正しいか否かを判定する患者所在位置特定手順と
を実行するための患者位置把握プログラム。
【発明の詳細な説明】
【技術分野】
【０００１】
本発明は、病院内における患者の所在位置を把握する患者位置把握装置、患者位置把握方法、および患者位置把握プログラムに関するものである。
【背景技術】
【０００２】
病院において、患者が病院内の何処にいるかを把握することは、診療業務および患者サポートの面から重要である。ところで、外来患者や入院患者が所持する無線通信機能を備えたカードホルダ型の携帯端末（以降、本発明では電子カードホルダという）を用いて、案内情報を患者に配信するシステムがある。このシステムは、病院建屋内の各所に電波の通信エリアが半径１０〜３０ｍ程度のアクセスポイントを設置し、電子カードホルダを所持する患者がアクセスポイントの通信エリアに入ったら、アクセスポイントと電子カードホルダ間で通信を行い、アクセスポイントから電子カードホルダに対して案内情報を送信するシステムである。このとき、それぞれのアクセスポイントは自身の通信エリア内に存在する電子カードホルダを認識することを行っている。一方、電子カードホルダには患者の診察券に代わるＩＣカードが装着され、ＩＣカードに書き込まれた患者の識別番号を読み出すことができるので、アクセスポイントを管理するシステムではアクセスポイントの設置場所から患者が病院の何処に居るかを認識できる。
【０００３】
所在位置を把握する技術として、ＧＰＳ（Global Positioning System）やＰＨＳ（Personal Handy-phone System）、あるいはＩｒＤＡ通信（Infrared Data Association）など特性の異なる位置情報取得手段を用いて位置情報を取得し、その中から最も適切な位置情報を選択して現在位置として把握する方法が知られている。
【先行技術文献】
【特許文献】
【０００４】
【特許文献１】特開２００８−８４２７４号公報
【特許文献２】特開２０００−１３２７９７号公報
【発明の概要】
【発明が解決しようとする課題】
【０００５】
上記したように、病院内に複数のアクセスポイントを設置し、患者が所持する電子カードホルダと通信することで、病院内における患者の所在位置を知ることができる。アクセスポイントは障害物の影響を避けるために天井、または天井に近い位置に設置され、前述したように半径１０〜３０ｍを通信エリアとする。従って、同じフロアでは隣接するアクセスポイントにより通信エリアが重複するエリアが発生するが、階下の天井に設置されたアクセスポイントの通信エリアとも重複する場合がある。このような場合、例えば２階に居る患者が１階のアクセスポイントと通信を行い、あたかも１階にいると判断されてしまうことがある。同じフロアの隣接するアクセスポイントと通信を行ってそのアクセスポイントが所在位置と判断されてしまうことは誤差範囲として許容できるが、階が異なる場合は問題である。従って、通信しているアクセスポイントの位置が必ずしも患者の所在位置と断定できず、正しい患者の所在位置を知ることが求められている。
【０００６】
前述したＧＰＳやＰＨＳを用いる方法は、建屋内の位置を確認することはできないし、ＩｒＤＡを用いる方法はそれらの通信可能な範囲が数ｃｍ〜数ｍであるので、病院内に大量のＩｒＤＡ  Ｒｅａｄｅｒを設置する必要があり、経済的な面で問題がある。
【０００７】
本発明は、アクセスポイントを設置し電子カードホルダとの通信を行うシステムにおいて、階を跨がって重複するエリアがあっても患者の正しい所在位置を把握できる患者位置把握装置と患者位置把握方法、および患者位置把握プログラムとを提供することを目的とする。
【課題を解決するための手段】
【０００８】
発明の一観点によれば、患者の識別情報と、患者の病院内の行先施設と、患者の歩行移動の特徴を表す患者特性とを含んで記憶した患者情報記憶部と、病院内の各階の複数の施設の近傍に配置されたアクセスポイントの設置位置を記憶するＡＰ位置記憶部と、患者特性毎に、患者が病院の施設間を移動すると考えられる予想移動ルートを記憶する予想移動ルート記憶部と、患者が所持する携帯端末が参入した通信エリアのアクセスポイントから、アクセスポイントの識別情報と患者の識別情報とを取得し、患者の移動履歴ルートとして蓄積する患者移動ルート取得部と、患者の識別情報により患者情報記憶部から患者の患者特性と行先施設とを求め、患者特性と行先施設との情報に基づいて予想移動ルート記憶部から患者の予想移動ルートを抽出する予想移動ルート抽出部と、抽出された予想移動ルートにより、患者の所在位置として、移動履歴ルートの直近に取得したアクセスポイントの位置が正しいか否かを判定する患者所在位置特定部と、を有する患者位置把握装置が提供される。
【発明の効果】
【０００９】
患者の所在位置を患者が所持する携帯端末が通信したアクセスポイントの位置とするとき、直近で取得したアクセスポイントが正しいアクセスポイントであるかどうかを、そのアクセスポイントに到達するまでに患者が移動したアクセスポイントのルートが患者の歩行障害を考慮して予想される予想移動ルート上にあるかどうかで判定するようにしたので、階を跨がって重複する通信エリアがあっても正しい患者の所在位置を特定できる患者位置把握装置と患者位置把握方法、患者位置把握プログラムの提供ができる。
【図面の簡単な説明】
【００１０】
【図１】アクセスポイントの通信エリアが重複する例を示す図である。
【図２】患者位置把握装置の構成例を示す図である。
【図３】患者情報記憶部のデータ例を示す図である。
【図４】ＡＰ位置記憶部のデータ例を示す図である。
【図５】各階のアクセスポイントの設置例を示す図である。
【図６】移動履歴ルート記憶部のデータ例を示す図である。
【図７】予想移動ルート記憶部のデータ例を示す図である。
【図８】移動係数記憶部のデータ例を示す図である。
【図９】患者位置把握装置の処理フロー例を示す図である。
【発明を実施するための形態】
【００１１】
本発明の実施例を説明する前に、アクセスポイントの通信エリアに重複エリアが発生する例を説明する。図１は、病院等の建屋の１階〜３階の天井に設置したアクセスポイントと、それらの通信エリアを示した図である。即ち、１階〜３階には、１階ＡＰ１０、２階ＡＰ２０、３階ＡＰ３０のアクセスポイントが設置され、それらがそれぞれ通信可能とするエリアは通信エリア１１、通信エリア２１、通信エリア３１で示される（通信エリアのイメージを点線で示している）。
【００１２】
本来、１階ＡＰ１０のアクセスポイントは、１階のフロアの通信エリア１１に入った携帯端末と通信することを意図して設置されるが、図１に示すように通信エリア１１の一部は２階にも及び、通信エリア２１と通信エリア１１が重複する場合がある。この場合は、２階に所在する患者Ｂ２２の携帯端末は２階ＡＰ２０または１階ＡＰ１０のいずれかの電波強度が強いアクセスポイントと通信することになる（携帯端末は、強い電波のアクセスポイントを選択して通信する）。３階でも同様に通信エリア３１と通信エリア２１とが重複するエリアがあり、患者Ｃ３２は３階ＡＰ３０または２階ＡＰ２０のいずれかの電波強度が強いアクセスポイントと通信する。なお、１階では上記のように重複する通信エリアが存在しないので、患者Ａ１２は１階ＡＰ１０のアクセスポイントのみと通信する。
【００１３】
患者の所在位置を、患者が所持する携帯端末と通信しているアクセスポイントの位置とする場合に、重複エリアが存在する場合では間違った所在位置と認識してしまう恐れがある。本発明は図１に示した重複エリアが存在しても、患者の携帯端末と通信したアクセスポイントに基づいて正しい患者の所在位置を把握するものである。なお、ここでは患者が実在する階の天井に設置されたアクセスポイントを「真」、このアクセスポイントに重複するアクセスポイントを「偽」とする。即ち、本発明は患者の携帯端末が通信したアクセスポイントの真偽を判定して患者の所在位置を把握するものである。以降、本発明の実施例を説明する。
【００１４】
本実施例では、病院内では患者は携帯端末である電子カードホルダを所持し、その電子カードホルダに診察券のＩＣカードが装着されているものとする。ＩＣカードには患者の識別情報が記憶されており、また病院内に設置された複数のアクセスポイントには、それぞれのアクセスポイントを識別するための識別情報が付与されているものとする。
【００１５】
図２は、本発明の患者位置把握装置１００の構成例を示した図で、患者位置把握装置１００は、全体を制御するＣＰＵ１１０、病院の各階に設置されたアクセスポイント１２１（ＡＰ１１〜ＡＰｎｍ）および受付や診療科、検査室等の施設に配置された端末１２２（Ｔ１〜Ｔｎ）と通信するＣＣＵ（Communication Control Unit）１２０、キーボード１３１やディスプレイ装置１３２を制御するＩＯ／ＩＦ１３０、電子カルテである患者情報等を記憶する記憶部１４０および患者位置把握プログラム１６０を実行するＲＡＭ１５０を有している。なお、図２に示す構成例は、本発明に必要な構成要素のみを示している。
【００１６】
患者位置把握プログラム１６０は、さらに患者移動ルート取得部１６１、予想移動ルート抽出部１６２、予想移動時間算出部１６３、ＡＰ電源制御部１６４および患者所在位置特定部１６５で構成する。各プログラムの概要は次の通りである。
【００１７】
患者移動ルート取得部１６１は、患者が装着する電子カードホルダが病院内の各階の複数施設の近傍に設置されたアクセスポイントの通信エリアに入ったとき（参入したとき）、そのアクセスポイントからアクセスポイントの識別情報（以降、ＡＰ−ＩＤという）と患者の識別情報（以降、患者ＩＤという）とを、参入時刻と共に通知を受ける。これらの情報は、移動履歴ルート記憶部１４３にその患者の移動履歴ルートとして蓄積する。詳細は後述するが、患者ＩＤをキーとして、患者が病院内に設置されたアクセスポイントに順次参入したＡＰ−ＩＤの列で記録される。なお、電子カードホルダが或るアクセスポイントの通信エリアに参入し、そのアクセスポイントに属しているとき「アクセスポイントへの参加」と表現する場合がある。
【００１８】
予想移動ルート抽出部１６２は、患者情報記憶部１４１に記憶されている患者の行先施設と患者特性とに基づいて、その患者が通過すると考えられるルート（経路）を予想移動ルート記憶部１４４から抽出する。患者特性は、その患者の歩行の難易を表す情報であり、車椅子使用者、視覚障害者といった情報である。例えば、患者が車椅子使用者であれば、患者の受診する診療科まで行くルートは階段の利用は不可で、エレベータ使用のルートに限定されることになる。患者の予想移動ルートの抽出の処理は、患者所在位置特定部１６５からの指示に基づいて実施される。
【００１９】
予想移動時間算出部１６３は、患者の予想移動ルートにおいて、患者の移動履歴ルートで直近に取得されたアクセスポイント（以降、直近アクセスポイントという）までの予想移動時間を算出する。その予想移動時間の算出に当たっては、患者特性に基づいて算出される。例えば、患者が視覚障害者であれば、その移動時間は健常者の標準時間に対して２倍の時間を要して移動する。
【００２０】
ＡＰ電源制御部１６４は、患者所在位置特定部１６５からの指示に基づいて、患者の移動履歴ルートで直近アクセスポイントの電源をＯＮ／ＯＦＦする。後述するが、このアクセスポイントのＯＮ／ＯＦＦは、アクセスポイントの真偽を判定する方法の一つとして実施される。
【００２１】
患者所在位置特定部１６５は、対象患者の直近アクセスポイントの真偽を判定し、所在位置を特定することを行なう。真偽の判定は、患者が通った移動履歴ルートの情報に基づいて、予想される移動ルートによる判定、予想される移動時間による判定、およびアクセスポイントの電源ＯＦＦによる判定の３つの判定方法を順次行なって判定する。移動ルートの判定や移動時間による判定においては、患者特性を反映して行なう。
【００２２】
次に、記憶部１４０について説明する。記憶部１４０は、患者情報記憶部１４１、ＡＰ位置記憶部１４２、移動履歴ルート記憶部１４３、予想移動ルート記憶部１４４および移動係数記憶部１４５を含んで構成される。各記憶部は以下に示すデータを記憶する。
【００２３】
患者情報記憶部１４１に記憶するデータは所謂電子カルテデータであり、電子カルテデータの一部に患者位置を把握するためのデータを記憶している。図３は、その患者情報記憶部１４１のデータ例を示したもので、「患者ＩＤ」、「名前」、「性」、「生年月日」、「年齢」、「患者特性」、および「行先施設」の各フィールドを含む構成となっている。このうち、「患者特性」は、歩行に対するハンディの状態を記号（歩行速度に応じて“Ａ”から順に記号を定義付けしている）で示したものである。また「行先施設」は、患者が病院内で行く、あるいは行くことを指示された施設を示している。ここでは「受付」、「診療科」、「処置」、「検査」、「薬局」、および「会計」の施設名に対応したフィールドを備えている。これらの施設にはそれぞれ端末を備えており、そこで行なわれる行為（診療、処置などの行為）が終了すると、その時刻が記録される。例えば、患者が来院時に病院の受付に設置された受付端末で受診する診療科を入力操作した場合は、「受付」フィールドにその操作時刻が記録され、“内科”を入力したとすれば「診療科」に“内科”が記録される。「診療科」の時刻、「処置」、「検査」、「薬局」は、例えば医師が投薬を指示して診療を終了する旨を診療科の端末に入力すると、それらが反映され記録される。「診療科」フィールドには診療終了の時刻が記録される。「処置」〜「薬局」には診療終了時に医師からの指示が“Ｙ（必要）”、または“Ｎ（不要）”で記録される。これらのフィールドはその行為が終了するとその終了時刻に置き換わる。例えば、処置室で患者に対する処置が終了すると、処置室スタッフにより処置室の端末に処置終了の入力が行なわれ、その結果が反映され終了時刻が記録される。「行先施設」の各フィールドの情報を参照することにより、患者の行先が判る。例えば、診療科で診療時刻が記録され、投薬が指示されいるが「薬局」フィールドは時刻が記録されていない“Ｙ”の状態であれば、診療科から薬局に向かっているか、あるいは薬局前で投薬を待っている状態にある。
【００２４】
患者情報記憶部１４１の具体例としてＰ１２３の患者について説明する。Ｐ１２３の患者は富士太郎であり、男性、平成元年２月１５日生まれの２３歳、患者特性は「Ａ」の健常者であり、病院内の歩行に対しては特に問題がない。本日は、午前９時１４分に来院し、受診する診療科は内科であるが既に内科の診療を午前９時４２分に終わり、検査を行なうことになっているが未検査の状態にある。また、投薬の指示も出されているが未受領の状態にある。また、同様にＰ２３４の患者は山本花子であり、女性、昭和１７年４月１０日生まれの６８歳、患者特性は「Ｃ」で車椅子使用者（Ｃは車椅子使用者であることを示している）であり、午前１０時２３分に来院し、受診する診療科は外科であるが、未診療の状態にある。
【００２５】
次に、ＡＰ位置記憶部１４２のデータ例について説明する。ＡＰ位置記憶部１４２は、病院内に設置したアクセスポイントの設置位置と隣接アクセスポイント間の標準の移動時間を記憶した記憶部で、これらに記憶されるデータは予め計測して設定される。図４は、ＡＰ位置記憶部１４２のデータ例を示し、「ＡＰ−ＩＤ」、「設置位置」、および「移動時間（１）〜（ｎ）」の各フィールドで構成する。「ＡＰ−ＩＤ」は、アクセスポイントの識別情報を記憶するフィールドで、病院内の各所に設置されるアクセスポイントには一意の識別情報が設定されている。例えばＡＰ１１の識別情報を持つアクセスポイントは１階の受付に設置され、隣接する１階会計に設置されたＡＰ１２のアクセスポイントまでの標準の移動時間は５秒である。隣接するアクセスポイントが複数あれば゛複数のアクセスポイントに対して移動時間が設定される。ここで、標準の移動時間とは、例えばＡＰ１１のアクセスポイントの通信エリアに入ったときから次のＡＰ１２のアクセスポイントに入るまでの健常者の平均的な移動時間である。
【００２６】
図５は、図４で示したアクセスポイントの設置例とそれらの通信エリアとを示した図である。この例では、３階までの各階の施設に対して設置されたアクセスポイントの一部を示した。１階のフロアには受付、会計、薬局、内科、エレベータ（Ｅｖ）があり、それらの天井には識別情報がＡＰ１１〜ＡＰ１５のアクセスポイントが設置されている。２階のフロアには、処置室、外科、検査室、エレベータがあり、天井にはＡＰ２１〜ＡＰ２４のアクセスポイントが設置されている。１階と２階の間には東階段があり、そこにはＡＰ０１のアクセスポイントが、２階と３階の東階段にはＡＰ０２のアクセスポイントが設置されている。
【００２７】
図５に示されるように、例えば患者が外科の診療室の前に居たとき、患者が所持する電子カードホルダは本来ＡＰ２２のアクセスポイントと通信するはずであるが、ＡＰ１３あるいはＡＰ１４のアクセスポイントと通信する場合がある。本発明は、ＡＰ１３あるいはＡＰ１４と通信してもＡＰ２２のアクセスポイントの設置位置に居る、ということを特定することにある。
【００２８】
図６は、移動履歴ルート記憶部１４３のデータ例を示す。患者が病院内を移動し電子カードホルダがアクセスポイントの通信エリアに入ると、患者位置把握装置１００はそのアクセスポイントからＡＰ−ＩＤと患者ＩＤ、通信エリアに参入した時刻との通知を受け、移動履歴ルート記憶部１４３に記憶したものである。即ち、移動履歴ルート記憶部１４３には、患者が移動したアクセスポイントの識別情報が順次記憶される。具体的には、「患者ＩＤ」、「位置１」、「位置２」・・・のフィールドで構成する。各フィールドにはアクセスポイントの識別情報とそのアクセスポイントに参入した時刻とを記憶する。例えば、Ｐ１２３の患者の移動履歴ルートは、受付（ＡＰ１１）、会計（ＡＰ１２）、薬局（ＡＰ１３）、内科（ＡＰ１４）・・・である。最後に取得したアクセスポイントが最も現在時刻に近い時刻に取得したアクセスポイントということになる。後述する「直近に取得したアクセスポイント」は、この最後に取得したアクセスポイントを指す。
【００２９】
次に、予想移動ルート記憶部１４４のデータ例を図７を用いて説明する。予想移動ルートは起点となる場所（施設）から行先場所までを通過するルートを予想移動ルートとして定めたデータである。移動ルートはＡＰ−ＩＤの列で示され、患者特性によってルートが異なる。例えば、車椅子使用者は階段の使用は困難であるためエレベータを使用するルートとなる。図７に示すように予想移動ルート記憶部１４４は、起点を示す「ｆｒｏｍ」、行先を示す「ｔｏ」、「患者特性」および「予想移動ルート」の各フィールドで構成する。
【００３０】
例えば、“受付”から“内科”に行くルートは、患者特性に関係なく、受付（ＡＰ１１）−会計（ＡＰ１２）−薬局（ＡＰ１３）−内科（ＡＰ１４）が予想移動ルートである。“受付”から“外科”に行くルートは、患者特性が“Ａ”である健常者は、受付（ＡＰ１１）−会計（ＡＰ１２）−東階段（ＡＰ０１）−外科（ＡＰ２２）であるが、健常者以外の場合は、受付（ＡＰ１１）−会計（ＡＰ１２）−薬局（ＡＰ１３））−内科（ＡＰ１４）−エレベータ（ＡＰ１５）−エレベータ（ＡＰ２４）−検査室（ＡＰ２３）−外科（ＡＰ２２）となる。
【００３１】
移動係数記憶部１４５は、予想移動ルート上のアクセスポイントを移動する予想移動時間の算出に使用される係数で、患者特性に応じて定めた係数を記憶している。この係数は健常者を“１”とし、歩行の難易に応じて係数を設定している。図８にそのデータ例を示す。例えば、患者特性“Ｂ”の車椅子使用者は１．２、患者特性“Ｃ”の視覚障害者は２．０で、図４で説明した隣接アクセスポイント間の移動時間にこの係数を乗じて移動時間を求める。例えば、受付から内科までに移動する時間は、健常者であれば２０秒（受付−会計が５ｓ、会計−薬局１０ｓ、薬局−内科５ｓ）であるが、車椅子使用者はその１．２倍の２４秒、視覚障害者は２倍の４０秒を要することになる。
【００３２】
次に、患者位置把握装置１００の処理フローについて図９を用いて説明する。処理フローの説明においては、少なくとも患者情報記憶部１４１の「行先施設」フィールドの「受付」と「診療科」には患者が病院の受付端末で入力した時の時刻と受診する診療科名の情報が記憶されているものとする。また、前述した移動履歴ルート記憶部１４３には病院内を移動する患者の移動履歴が逐次記録されているものとする。さらに、患者位置把握装置１００は所在を把握したい患者名の入力を受け付けた状態にあるものとする。
【００３３】
まず、図９において、患者情報記憶部１４１を参照して入力された患者名を基に、患者ＩＤと患者特性とを抽出する（ステップ１、以降Ｓ１と記す）。
【００３４】
次に、抽出した患者ＩＤを基に、患者情報記憶部１４１の「行先施設」の「診療科」フィールドに診療終了時刻の情報が記録さているかどうかを調べる。診療終了時刻が記録されていなければ、その患者は未診療の状態にあるので、“受付”から例えば“内科”のルートの何れかに居ることになるので、起点施設を“受付”、行先施設を“内科”とする。もし、診療時刻が記録され診療済みである場合は「処置」以降に時刻情報が記録されているかどうかを調べる。このとき、“Ｎ”が記録されていれば医師の指示はなくその施設に行くことはないと判断する。“Ｙ”が記録されていれば、その施設に行く指示が出されているが、その施設では未終了の状態であるのでその施設が行先施設とする。起点施設は行先施設に行く前の施設となる。例えば、図３のＰ１２３の患者は内科での診療が終わり、次は検査室に行くことになっているので、起点施設は“内科”、行先施設は“検査室”ということになる（Ｓ２）。
【００３５】
次いで、求めた起点施設と行先施設、および患者特許とに基づいて、予想移動ルート記憶部１４４から当該患者ＩＤの予想移動ルートを抽出する。さらに、移動履歴ルート記憶部１４３を参照して、患者ＩＤの移動履歴ルートを抽出する。移動履歴ルートが予想移動ルート上にあるかどうかを調べ、移動履歴ルートが予想移動ルート上にあれば、移動履歴ルートで直近アクセスポイントが患者の所在と決定する（Ｓ３〜Ｓ６）。
【００３６】
移動履歴ルートが予想移動ルート上になければ、移動履歴ルートの直近アクセスポイントが予想移動ルート上にあるか、を調べる。このアクセスポイントが予想移動ルート上にあった場合、移動履歴ルート記憶部１４３を参照して、起点施設から直近アクセスポイントまでの移動時間を患者移動時間として求める。次いで、予想移動ルートの起点施設から直近アクセスポイントまでの予想移動時間を求める。予想移動時間の算出は、ＡＰ位置記憶部１４２にはアクセスポイント間の標準移動時間が記憶されているので、これを用いて予想移動ルートの起点施設から直近アクセスポイントまでの標準の移動時間を算出する。ついで患者特性に基づいて移動係数記憶部１４５から移動係数を抽出し、標準の移動時間にこの移動係数を乗じて予想移動時間を算出する。患者移動時間が予想移動時間の予め定めた誤差範囲内であれば、移動履歴ルートの直近アクセスポイントが患者の所在と決定する（Ｓ７〜Ｓ１０、Ｓ６）。
【００３７】
患者移動時間が予想移動時間の誤差範囲外であれば、直近アクセスポイントの電源をＯＦＦとする。電源ＯＦＦとしたとき、上位階のアクセスポイントから当該患者ＩＤの電子カードホルダが参加したかを調べる。これは、電源ＯＦＦした後にアクセスポイントから患者位置把握装置１００に通知される情報を調べることで判る。上位階からのアクセスポイントに参加していなければ、移動履歴ルートの直近アクセスポイントが患者の所在と決定する。上位階のアクセスポイントに参加した場合は、上位階のアクセスポイントを患者の所在位置と決定する。この決定後、直ちに直近アクセスポイントの電源をＯＮに戻す。以上で、患者が所在するアクセスポイントが定まるので、ＡＰ位置記憶部１４２を参照して所在位置を求める（Ｓ１１〜Ｓ１５、Ｓ６）。
【００３８】
上記した処理フローでは、アクセスポイントの真偽を次に示す３つの方法で判定している。第１は予想移動ルートで判定する方法、第２は予想移動時間で判定する方法、そして第３はアクセスポイントの電源をＯＦＦにする方法である。
【００３９】
第１の予想移動ルートで判定する方法はＳ１〜Ｓ６の処理がそれに該当する。患者が移動したルート（移動履歴ルート）が予想移動ルート上にあれば、直近アクセスポイントは紛れもなく患者が位置する天井のアクセスポイントということになり、直近アクセスポイントは“真”と判定する。患者の所在位置は、ＡＰ位置記憶部１４２を参照してそのアクセスポイントの設置位置で求まる。
【００４０】
例えば、車椅子使用の患者が現在“外科”の位置に居る場合に、移動履歴ルートと予想移動ルートがＡＰ１１−ＡＰ１２−ＡＰ１３−ＡＰ１４−ＡＰ１５−ＡＰ２４−ＡＰ２３−ＡＰ２２と等しければ、移動履歴ルートは予想移動ルート上にあるので、直近アクセスポイントのＡＰ２２は“真”と判定され、患者の所在位置は検査室近傍と特定できる（移動履歴ルートは移動の途中であっても、起点から直近アクセスポイントまでのアクセスポイントが予想移動ルート上にあればよい）。
【００４１】
第２の予想移動時間で判定する方法はＳ７〜Ｓ１０、Ｓ６の処理がそれに該当する。患者が移動した患者移動時間が予想移動時間と誤差内で位置すれば、直近アクセスポイントは“真”と判定する。例えば、上記の例の移動履歴ルートがＡＰ１１−ＡＰ１２−ＡＰ１３−ＡＰ１４−ＡＰ１５−ＡＰ２４−ＡＰ１４−ＡＰ２２の場合は予想移動ルートの判定では“偽”と判定される。この場合は、この予想移動時間で直近アクセスポイントであるＡＰ２２の真偽を判定することになる。受付から外科までエレベータ使用による予想移動時間は標準時間で５７秒、車椅子使用では６８秒となる。患者の移動履歴ルート記憶部１４３の直近アクセスポイントであるＡＰ２２の参入時刻から起点施設であるＡＰ１１の参入時刻を差し引いた時間が例えば７０秒であった場合、誤差範囲を５秒とすれば一致し、直近アクセスポイントは“真”と判定する。
【００４２】
第３のアクセスポイントの電源ＯＦＦによる判定は、予想移動時間による判定で“偽”と判定された場合に行なわれる判定で、Ｓ１１〜Ｓ１４、Ｓ６の処理がそれに該当する。例えば、予想移動ルートがＡＰ１１−ＡＰ１２−ＡＰ１３−ＡＰ１４−ＡＰ１５−ＡＰ２４−ＡＰ１４−ＡＰ１３であった場合、ＡＰ１３の電源をＯＦＦする。そのとき、電子カードホルダがＡＰ１３の上位階にあるＡＰ２２に参加すれば、ＡＰ１３は“偽”となり、ＡＰ２２が患者の所在位置を表すアクセスポイントということになる。
【００４３】
以上、本発明の患者位置把握装置と患者位置把握方法の実施例を説明したが、これらは上記した内容に限定されるものではなく、本発明の要旨を逸脱しない範囲において種々なる態様で実施し得るものである。
【符号の説明】
【００４４】
１０    １階ＡＰ
１１    通信エリア
１２    患者Ａ
２０    ２階ＡＰ
２１    通信エリア
２２    患者Ｂ
３０    ３階ＡＰ
３１    通信エリア
３２    患者Ｃ
１００  患者位置把握装置
１１０  ＣＰＵ
１２０  ＣＣＵ
１２１  ＡＰ１１〜ｎｍ
１２２  Ｔ１〜Ｔｎ
１３０  ＩＯ／ＩＦ
１３１  キーボード
１３２  ディスプレイ装置
１４０  記憶部
１４１  患者情報記憶部
１４２  ＡＰ位置記憶部
１４３  位置履歴ルート記憶部
１４４  予想位置ルート記憶部
１４５  移動係数記憶部
１５０  ＲＡＭ
１６０  患者位置把握プログラム
１６１  患者移動ルート取得部
１６２  予想移動ルート抽出部
１６３  予想移動時間算出部
１６４  ＡＰ電源制御部
１６５  患者所在位置特定部
【図１】
0005703861.tif 000002
【図２】
0005703861.tif 000003
【図３】
0005703861.tif 000004
【図４】
0005703861.tif 000005
【図５】
0005703861.tif 000006
【図６】
0005703861.tif 000007
【図７】
0005703861.tif 000008
【図８】
0005703861.tif 000009
【図９】
0005703861.tif 000010